(57)【要約】【課題】既存の反射鏡付きハロゲン電球に置き換えることができ、且つ構造の簡易化を図ることができる照明装置を提供することである。【解決手段】実施形態に係る照明装置は、凹面状の反射面を有する反射面部と；発光素子と、前記発光素子を覆う封止部とが各々設けられた側面を少なくとも３つ以上有し、前記反射面部の内部に立体配置された発光モジュールと；を具備している。    そして、前記封止部を含む発光領域は、前記反射面部の第１の端部と、前記第１の端部に対峙する第２の端部と、の間の空間に設けられている。【選択図】図１
2015216048.tif 000002
【特許請求の範囲】
【請求項１】
凹面状の反射面を有する反射面部と；
発光素子と、前記発光素子を覆う封止部とが各々設けられた側面を少なくとも３つ以上有し、前記反射面部の内部に立体配置された発光モジュールと；
を具備し、
前記封止部を含む発光領域は、前記反射面部の第１の端部と、前記第１の端部に対峙する第２の端部と、の間の空間に設けられた照明装置。
【請求項２】
前記発光領域の中心位置は、前記反射面部の焦点位置に設けられている請求項１記載の照明装置。
【請求項３】
前記反射面部の前記第１の端部から前記発光領域の前記中心位置までの距離をＸ、前記第１の端部から前記第２の端部までの距離をＬとした場合に、以下の式を満足する請求項１または２に記載の照明装置。
０．７０Ｌ≦Ｘ≦０．８９Ｌ
【請求項４】
前記発光領域の最大寸法は、２ｍｍ以上、１０ｍｍ以下である請求項１〜３のいずれか１つに記載の照明装置。
【発明の詳細な説明】
【技術分野】
【０００１】
本発明の実施形態は、照明装置に関する。
【背景技術】
【０００２】
ダウンライト用やスポットライト用として、反射鏡付きハロゲン電球が用いられている。
ハロゲン電球は、小型、且つ高効率であるが、省電力化および長寿命化の観点から、発光ダイオードを備えた照明装置に置き換えられるようになってきている。  
この様な照明装置は、複数の発光ダイオードを基板上に平面配置したものを光源としている。  
ところが、複数の発光ダイオードを平面配置すると、既存の反射鏡付きハロゲン電球と比べて配光角の制御が難しくなる。  
そのため、レンズなどの光学要素を設けて、配光角を拡げるようにしている。  
しかしながら、光学要素を設けるようにすれば、構造の複雑化やコストの増大を招くことになる。
【先行技術文献】
【特許文献】
【０００３】
【特許文献１】特開２０１１−１７５９７８号公報
【発明の概要】
【発明が解決しようとする課題】
【０００４】
本発明が解決しようとする課題は、既存の反射鏡付きハロゲン電球に置き換えることができ、且つ構造の簡易化を図ることができる照明装置を提供することである。
【課題を解決するための手段】
【０００５】
実施形態に係る照明装置は、凹面状の反射面を有する反射面部と；発光素子と、前記発光素子を覆う封止部とが各々設けられた側面を少なくとも３つ以上有し、前記反射面部の内部に立体配置された発光モジュールと；を具備している。  
そして、前記封止部を含む発光領域は、前記反射面部の第１の端部と、前記第１の端部に対峙する第２の端部と、の間の空間に設けられている。
【発明の効果】
【０００６】
本発明の実施形態によれば、既存の反射鏡付きハロゲン電球に置き換えることができ、且つ構造の簡易化を図ることができる照明装置を提供することができる。
【図面の簡単な説明】
【０００７】
【図１】図１は、本実施形態に係る照明装置１を例示するための模式部分断面図である。
【図２】図２は、本実施形態に係る照明装置１を例示するための模式斜視図である。
【図３】図３（ａ）は、支持部３に取り付ける前の発光モジュール４の実装面側を例示するための模式図である。図３（ｂ）は、支持部３に取り付ける前の発光モジュール４の実装面側とは反対側を例示するための模式図である。
【図４】図４（ａ）は、１つの発光素子４ｂを覆うドット状の封止部４ｃが１つ設けられた場合である。図４（ｂ）は、複数の発光素子４ｂを覆うドット状の封止部４ｃが１つ設けられた場合である。図４（ｃ）は、１つの発光素子４ｂを覆うライン状の封止部４ｃが１つ設けられた場合である。図４（ｄ）は、複数の発光素子４ｂを覆うライン状の封止部４ｃが１つ設けられた場合である。図４（ｅ）〜（ｈ）は、複数の封止部４ｃが設けられた場合である。
【図５】図５（ａ）は、距離Ｘが０．７０Ｌの場合の投影光を例示するための写真である。図５（ｂ）は、距離Ｘが０．８０Ｌの場合の投影光を例示するための写真である。図５（ｃ）は、距離Ｘが０．８９Ｌの場合の投影光を例示するための写真である。
【図６】図６（ａ）は、距離Ｘが０．９３Ｌの場合の投影光を例示するための写真である。図６（ｂ）は、距離Ｘが０．６３Ｌの場合の投影光を例示するための写真である。
【発明を実施するための形態】
【０００８】
実施形態に係る発明は、凹面状の反射面を有する反射面部と；発光素子と、前記発光素子を覆う封止部とが各々設けられた側面を少なくとも３つ以上有し、前記反射面部の内部に立体配置された発光モジュールと；を具備した照明装置である。  
前記封止部を含む発光領域は、前記反射面部の第１の端部と、前記第１の端部に対峙する第２の端部と、の間の空間に設けられている。  
この照明装置によれば、既存の反射鏡付きハロゲン電球に置き換えることができ、且つ構造の簡易化を図ることができる。
【０００９】
また、この様にすれば、投影光に暗部が生じるのを抑制することができるので、投影光の形状を円形にしやすくなる。
【００１０】
また、前記発光領域の中心位置は、前記反射面部の焦点位置に設けられているものとすることができる。  
この様にすれば、反射鏡付きハロゲン電球に要求される光学特性を満足し易くなる。
【００１１】
また、前記反射面部の前記第１の端部から前記発光領域の前記中心位置までの距離をＸ、前記第１の端部から前記第２の端部までの距離をＬとした場合に、以下の式を満足するようにすることができる。  
０．７０Ｌ≦Ｘ≦０．８９Ｌ  
この様にすれば、反射鏡付きハロゲン電球に要求される光学特性を満足することができる。
【００１２】
また、前記発光領域の最大寸法は、２ｍｍ以上、１０ｍｍ以下とすることができる。  
この様にすれば、反射鏡付きハロゲン電球に要求される光学特性をさらに満足し易くなる。
【００１３】
以下、図面を参照しつつ、実施の形態について例示をする。なお、各図面中、同様の構成要素には同一の符号を付して詳細な説明は適宜省略する。  
図１は、本実施形態に係る照明装置１を例示するための模式部分断面図である。  
図２は、本実施形態に係る照明装置１を例示するための模式斜視図である。  
なお、図２においては、煩雑となるのを避けるために、カバー５を省いて描いている。
【００１４】
図１および図２に示すように、照明装置１には、本体部２、支持部３、発光モジュール４、放熱接着シート８、反射部５、カバー６、および口金７が設けられている。  
本体部２は、収納部２ａおよび接続部２ｂを有する。  
収納部２ａは、例えば、円筒形状を有したものとすることができる。  
収納部２ａの内部には、発光モジュール４に電力を供給する点灯回路が収納されている。また、発光モジュール４の調光を行うための調光回路をさらに収納することもできる。
接続部２ｂは、反射部５が設けられる側とは反対側の収納部２ａの端部に設けられている。接続部２ｂは、アイレット部７ｂに向かうに従い断面積が小さくなる段付き形状を有している。
本体部２は、例えば、熱伝導率が高く、絶縁性を有する材料から形成することができる。本体部２は、例えば、窒化アルミニウム（ＡｌＮ）などのセラミックス、高熱伝導性樹脂などから形成することができる。また、本体部２は、例えば、アルミニウム（Ａｌ）、銅（Ｃｕ）、これらの合金などの金属から形成され、表面に絶縁層を設けたものとすることもできる。
【００１５】
支持部３は、柱状を呈し、反射面部５ａの内部に向けて収納部２ａから突出している。  支持部３は、例えば、収納部２ａに保持されている。  
支持部３の軸方向に直交する方向の断面形状は、多角形とすることができる。  
図１および図２に例示をしたものの場合には、支持部３は、四角柱状を呈している。ただし、支持部３の形状は、四角柱状に限定されるわけではなく、例えば、三角柱状、五角柱状、六角柱状などの他の多角柱状であってもよい。  
また、支持部３の形状は、直柱に限定されるわけではなく、例えば、角錐状や角錐台状などとすることもできる。
【００１６】
この場合、支持部３の側面には、発光モジュール４の実装部４ａ１〜４ａ４が設けられるので、側面の数が少なくなると、投影光に暗部が生じることになる。投影光に暗部が生じると、投影光の形状を円形にするのが困難となる。そのため、支持部３、ひいては発光モジュール４は、少なくとも３つの側面を有するものとすることが好ましい。一方、側面の数が多くなるほど暗部の発生が抑制されるので、投影光の形状を円形にしやすくなる。ただし、側面の数を多くしすぎると、反射部５、ひいては照明装置１が大きくなり、既存の反射鏡付きハロゲン電球との置き換えができなくなるおそれがある。そのため、支持部３の形態は、照明装置１の用途、大きさなどに応じて適宜決定することができる。  
支持部３は、熱伝導率が高く、ある程度の剛性を有する材料から形成することができる。支持部３は、例えば、窒化アルミニウムなどのセラミックス、高熱伝導性樹脂、アルミニウム（Ａｌ）、銅（Ｃｕ）、これらの合金などの金属などから形成することができる。
【００１７】
発光モジュール４は、基体４ａ、発光素子４ｂ、および封止部４ｃを有する。  
発光モジュール４は、反射面部５ａの内部に設けられ、発光素子４ｂと、発光素子４ｂを覆う封止部４ｃとが立体配置されている。  
図３（ａ）は、支持部３に取り付ける前の発光モジュール４の実装面側を例示するための模式図である。  
図３（ｂ）は、支持部３に取り付ける前の発光モジュール４の実装面側とは反対側を例示するための模式図である。  
図３（ａ）に示すように、基体４ａは、複数の実装部４ａ１〜４ａ４と、連結部４ａ５を有する。  
複数の実装部４ａ１〜４ａ４の平面形状は、例えば、矩形とすることができる。複数の実装部４ａ１〜４ａ４は、支持部３の複数の側面のそれぞれに設けられる。
【００１８】
複数の実装部４ａ１〜４ａ４の表面には、図示しない配線パターンが設けられている。図示しない配線パターンには、発光素子４ｂが実装されている。すなわち、本実施の形態においては、発光素子４ｂを実装部４ａ１〜４ａ４に直接実装するＣＯＦ（Chip On Film）方式が採用されている。  
なお、表面実装型の発光素子４ｂを実装部４ａ１〜４ａ４に実装してもよい。  
また、複数の発光素子４ｂを直線状に並べる場合を例示したが、発光素子４ｂの配設形態は適宜変更することができる。  
図示しない配線パターンは、例えば、アルミニウム（Ａｌ）、スズ（Ｓｎ）、銅（Ｃｕ）、ニッケル（Ｎｉ）、パラジウム（Ｐｄ）、金（Ａｕ）、銀（Ａｇ）などを含むものとすることができる。  
図示しない配線パターンは、例えば、メッキ法を用いて形成することができる。
【００１９】
発光素子４ｂは、例えば、発光ダイオードとすることができる。  
発光素子４ｂは、例えば、フェイスアップチップ（上面電極）又は、フリップチップ（下面電極又は、上下面電極）とすることができる。  
複数の実装部４ａ１〜４ａ４のそれぞれに実装される発光素子４ｂの数には特に限定がなく、発光素子４ｂの発光強度やサイズなどに応じて少なくとも１つの発光素子４ｂが実装されていればよい。図示しない配線パターンは、図示しない配線などを介して点灯回路と電気的に接続されている。
【００２０】
連結部４ａ５の平面形状は、例えば、正方形とすることができる。連結部４ａ５は、支持部３の頂面に設けられる。  
複数の実装部４ａ１〜４ａ４の一方の端部は、連結部４ａ５の複数の辺のそれぞれに接続されている。
【００２１】
複数の実装部４ａ１〜４ａ４の他方の端部の近傍には、ねじ穴４ａ６が設けられている。
図３（ｂ）に示すように、実装面とは反対側における連結部４ａ５の周縁には、断面がＶ字状の溝４ａ７が設けられている。  
断面がＶ字状の溝４ａ７を設けるようにすれば、発光モジュール４を支持部３に取り付ける際に、溝４ａ７を起点として実装部４ａ１〜４ａ４を折り曲げることができる。そのため、発光モジュール４の取り付けが容易となる。  
基体４ａは、この様な構成を有しているので、平板状の基体４ａに対して発光素子４ｂを実装したり、封止部４ｃを設けたりすることができる。  
そして、発光モジュール４を支持部３にかぶせる様にして取り付けることで、発光素子４ｂと封止部４ｃを立体的に配置することができる。
【００２２】
なお、図３（ａ）、（ｂ）に例示をした基体４ａの平面形状は、十字状であるがこれに限定されるわけではない。基体４ａの平面形状は、立体的に配置された発光素子４ｂから照射される光の照射方向の数に応じて適宜変更することができる。  
また、支持部３の形状が角錐状や角錐台状などの場合には、支持部３の側面形状に応じた形状を有する実装部とすればよい。
【００２３】
基体４ａは、例えば、アルミニウムなどの金属や、フッ素樹脂、ポリイミド、ポリエチレンテレフタレート、ポリエチレンナフタレートなどの樹脂から形成することができる。
【００２４】
ここで、発光素子４ｂと封止部４ｃを立体的に配置するためには、基体４ａを支持部３に取り付ける必要がある。また、照明装置１に用いる光源では、点光源化を実現する必要があり、発光面が小さくなる。そのため、発光素子４ｂにおいて生じた熱を支持部３を介して放熱させるようにしている。  
この場合、放熱性を高めるためには、基体４ａを支持部３に密着させるようにすることが好ましい。
【００２５】
一般的に、安価、且つ放熱性を高める材料としては、放熱シリコングリースなどが挙げられる。しかしながら、放熱シリコングリースは、オイル成分の揮発による経時劣化により、接着強度が減少したり、放熱性が低下したりするおそれがある。  
また、基体４ａは、平板状のリジッド基板と違い接着面形状が平面でないため、僅かな接着強度の低下であっても剥離してしまうおそれがある。また、基体４ａは、面積が小さいことから発光素子４ｂのケース温度Ｔｃが高くなるおそれがある。  
そのため、本実施の形態においては、以下の放熱接着シート８を用いるようにしている。
【００２６】
放熱接着シート８は、発光モジュール４の基体４ａと支持部３との間に設けられ、基体４ａと支持部３を接合する。  
放熱接着シート８は、例えば、ポリエチレンテレフタレートやアクリルなどを含むテープ状の基材と、基材の両面に設けられたアクリル接着層を有するものとすることができる。なお、基材は必ずしも必要ではなく、アクリル接着層のみからなる放熱接着シート８であってもよい。  
放熱接着シート８の厚み寸法は、例えば、０．０５ｍｍ以上、０．５ｍｍ以下とすることができる。  
放熱接着シート８の熱伝導率は、０．６Ｗ／ｍ・Ｋ以上、１．５Ｗ／ｍ・Ｋ以下とすることができる。
【００２７】
封止部４ｃは、発光素子４ｂを覆うようにして設けられている。  
封止部４ｃの形状は、例えば、ドット状とすることができる。この場合、平面視における封止部４ｃの直径寸法は、３ｍｍ〜４ｍｍ程度とすることができる。また、平面視における封止部４ｃの直径寸法は、発光素子４ｂの短辺寸法の５倍〜８倍程度とすることができる。平面視における封止部４ｃの直径寸法は、発光素子４ｂの長辺寸法の４倍〜６倍程度とすることができる。
【００２８】
また、ドット状の封止部４ｃを例示したが、例えば、ライン状の封止部４ｃとすることもできる。  
ライン状の封止部４ｃとする場合には、平面視における封止部４ｃの長さ（長手方向の長さ）は、２ｍｍ以上、１０ｍｍ以下とすることが好ましい。また、平面視における封止部４ｃの長さは、発光素子４ｂの短辺寸法の３倍〜２０倍程度とすることができる。平面視における封止部４ｃの長さは、発光素子４ｂの長辺寸法の２倍〜１４倍程度とすることができる。平面視における封止部４ｃの幅寸法は、発光素子４ｂの短辺寸法の５倍〜８倍程度とすることができる。平面視における封止部４ｃの幅寸法は、発光素子４ｂの長辺寸法の４倍〜６倍程度とすることができる。
【００２９】
封止部４ｃは、透光性を有する材料から形成されている。封止部４ｃは、例えば、シリコーン樹脂などから形成することができる。  
また、封止部４ｃには、蛍光体を含めることができる。蛍光体は、例えば、ＹＡＧ系蛍光体（イットリウム・アルミニウム・ガーネット系蛍光体）とすることができる。  
例えば、発光素子４ｂが青色発光ダイオード、蛍光体がＹＡＧ系蛍光体である場合には、発光素子４ｂから出射した青色の光によりＹＡＧ系蛍光体が励起され、ＹＡＧ系蛍光体から黄色の蛍光が放射される。そして、青色の光と黄色の光が混ざり合うことで、白色の光が封止部４ｃから出射される。なお、蛍光体の種類や発光素子４ｂの種類は例示をしたものに限定されるわけではなく、照明装置１の用途などに応じて所望の発光色が得られるように適宜変更することができる。  
また、封止部４ｃは、蛍光体を含み発光素子４ｂを覆う第１の層と、第１の層の周辺に設けられ蛍光体を含まない第２の層とを有するものとすることもできる。  
また、第２の層の代わりに、発光素子４ｂを囲む環状の部材を設けることもできる。
【００３０】
なお、図３（ａ）では、１つの発光素子４ｂを覆う封止部４ｃを例示したが、複数の発光素子４ｂを覆う封止部４ｃとすることもできる。  
また、実装部４ａ１〜４ａ４のそれぞれに設けられる封止部４ｃの数は、例えば、１つ〜４つ程度とすることができる。ただし、封止部４ｃの数は、これに限定されるわけではなく適宜変更することができる。  
また、複数の封止部４ｃを設ける場合には、両端に位置する封止部４ｃの端部同士の間の距離が２ｍｍ以上、１０ｍｍ以下であることが好ましい。  
すなわち、後述する発光領域１４の最大寸法は、２ｍｍ以上、１０ｍｍ以下とすることが好ましい。  
また、封止部４ｃの平面形状も適宜変更することができる。
【００３１】
反射部５は、反射面部５ａおよびネック部５ｂを有する。  
反射面部５ａおよびネック部５ｂは、例えば、硬質ガラス、耐熱性合成樹脂、又は金属などから形成されている。  
反射面部５ａは、回転放物面や回転楕円面などを有する凹面状の反射面５ａ１を有する。反射面５ａ１には、光や熱を反射する図示しない反射膜が設けられている。図示しない反射膜は、例えば、クロム（Ｃｒ）などから形成されている。  
反射面部５ａの断面積は、ネック部５ｂ側に向かうに従い小さくなっている。  
ネック部５ｂ側とは反対側の反射面部５ａの端部（開口端５ａ２（第１の端部の一例に相当する））は開口し、開口を塞ぐようにしてカバー６が設けられている。
【００３２】
ネック部５ｂは、反射面部５ａの端部５ａ３（第２の端部の一例に相当する）に設けられている。ネック部５ｂは、円筒状を呈し、反射面部５ａと一体に設けられている。ネック部５ｂの両端は開口している。ネック部５ｂは、収納部２ａの内部に挿入されている。ネック部５ｂは、収納部２ａと接着されている。  
発光モジュール４は、反射面部５ａの内部に設けられている。  
【００３３】
カバー６は、例えば、板状を呈したものとすることができる。  
カバー６は、透光性を有する材料から形成することができる。  
カバー６は、レンズやプリズムなどの光学的な機能を有するものであってもよいし、光学的な機能を有さないものであってもよい。  
カバー６は、必ずしも必要ではなく、必要に応じて設けるようにすることができる。
【００３４】
口金７は、シェル部７ａおよびアイレット部７ｂを有する。  
シェル部７ａは、接続部２ｂの外周面に設けられている。シェル部７ａは、ねじ山を有する筒状体である。  
アイレット部７ｂは、接続部２ｂの端部に設けられている。  
シェル部７ａとアイレット部７ｂは、金属などの導電性材料から形成されている。  
シェル部７ａとアイレット部７ｂは、図示しない配線などを介して点灯回路と電気的に接続されている。  
口金７は、例えば、ＪＩＳ規格に定められているＥ１１形などと同様の形状を有するものとすることができる。ただし、口金７は、例示をした形状に限定されるわけではなく適宜変更することができる。
【００３５】
次に、反射面部５ａと、発光領域１４との位置関係について説明する。  
発光領域１４は、封止部４ｃを含む領域である。  
図４（ａ）は、１つの発光素子４ｂを覆うドット状の封止部４ｃが１つ設けられた場合である。  
図４（ｂ）は、複数の発光素子４ｂを覆うドット状の封止部４ｃが１つ設けられた場合である。  
図４（ｃ）は、１つの発光素子４ｂを覆うライン状の封止部４ｃが１つ設けられた場合である。  
図４（ｄ）は、複数の発光素子４ｂを覆うライン状の封止部４ｃが１つ設けられた場合である。  
図４（ａ）〜（ｄ）に示すように、封止部４ｃが１つ設けられた場合には、封止部４ｃが占める領域が発光領域１４となる。  
また、発光領域１４の中心位置１４ａは、封止部４ｃの中心位置となる。  
図４（ｅ）〜（ｈ）は、複数の封止部４ｃが設けられた場合である。  
複数の封止部４ｃが設けられる場合には、すべての封止部４ｃが含まれる領域が発光領域１４となる。
【００３６】
また、発光領域１４の中心位置１４ａは、すべての封止部４ｃが含まれる領域（発光領域１４）の中心位置となる。  
図１に示すように、発光領域１４は、反射面部５ａの内部に設けられている。  
すなわち、発光領域１４は、反射面部５ａの開口端５ａ２と、開口端５ａ２と対峙する端部５ａ３との間の空間に設けられている。
【００３７】
ここで、反射鏡付きハロゲン電球は、以下の光学特性を有することが求められる。  
例えば、反射鏡付きハロゲン電球は、投影光の形状がほぼ円形となることが求められる。
また、反射鏡付きハロゲン電球は、中角仕様の場合、配光角が２０°（±１０%以内）以内、最大光度が４０００ｃｄ（カンデラ）程度となることが求められる。
【００３８】
本発明者らの得た知見によれば、反射面部５ａの開口端５ａ２から発光領域１４の中心位置１４ａまでの距離Ｘが、以下の式を満足するようにすれば、発光素子４ｂを用いた照明装置１であっても反射鏡付きハロゲン電球に要求される光学特性を満足することができる。  
０．７０Ｌ≦Ｘ≦０．８９Ｌ
なお、Ｌは、反射面部５ａの開口端５ａ２から端部５ａ３までの距離である。
【００３９】
ここで、反射鏡付きハロゲン電球の開口端５ａ２の直径寸法が７０ｍｍ程度の場合には、距離Ｌは３４ｍｍ程度となる。  
この場合、反射鏡付きハロゲン電球に置き換えることができる照明装置１とするためには、反射面部５ａの外形寸法を同様なものとする必要がある。  
そのため、この様な寸法を有する反射面部５ａの場合には、距離Ｘは、２３．８ｍｍ≦Ｘ≦３０．３ｍｍとなる。  
また、発光領域１４の中心位置１４ａは、反射面部５ａの焦点位置に設けるようにすることが好ましい。  
この様にすれば、反射鏡付きハロゲン電球に要求される光学特性を満足し易くなる。
【００４０】
図５（ａ）〜（ｃ）、図６（ａ）、（ｂ）は、投影光を例示するための写真である。  
この場合、図５（ａ）は、距離Ｘが０．７０Ｌの場合である。  
図５（ｂ）は、距離Ｘが０．８０Ｌの場合である。  
図５（ｃ）は、距離Ｘが０．８９Ｌの場合である。  
図６（ａ）は、距離Ｘが０．９３Ｌの場合である。  
図６（ｂ）は、距離Ｘが０．６３Ｌの場合である。  
図５（ａ）〜（ｃ）から分かるように、０．７０Ｌ≦Ｘ≦０．８９とすれば、投影光の形状がほぼ円形となるようにすることができる。また、この場合の配光角は２０°以内であり、最大光度も４０００ｃｄ程度とすることができた。  
すなわち、０．７０Ｌ≦Ｘ≦０．８９Ｌとすれば、反射鏡付きハロゲン電球に要求される光学特性を満足することができた。
【００４１】
一方、図６（ａ）から分かるように、距離Ｘが０．９３Ｌとなれば、照度ムラが大きくなる。すなわち、投影光の形状が崩れ、最大光度が４０００ｃｄを下回ることになる。  
また、図６（ｂ）から分かるように、距離Ｘが０．６３Ｌとなれば、投影光の形状が崩れることになる。
【００４２】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４３】
１  照明装置、２  本体部、２ａ  収納部、３  支持部、４  発光モジュール、４ａ  基体、４ａ１〜４ａ４  実装部、４ａ５  連結部、４ａ７  溝、４ｂ  発光素子、４ｃ  封止部、５  反射部、６  カバー、７  口金、８  放熱接着シート、１４  発光領域、１４ａ  中心位置
【図１】
2015216048.tif 000003
【図２】
2015216048.tif 000004
【図３】
2015216048.tif 000005
【図４】
2015216048.tif 000006
【図５】
2015216048.tif 000007
【図６】
2015216048.tif 000008